(57)【要約】  ディスク・ローディング機構は、フレームと、キャリア部に取り付けられたローラーとを有する。当該キャリア部は、ディスク上へローラーを付勢するために、フレームに対して回動可能である。ディスクの動きを供するローラーによって、ドライブユニットへとディスクが挿入されるとき、又は当該ユニットからディスクが排出されるときにディスクに及ぼされる力が、挿入動作と排出動作とで等しいディスク・ローディング機構を供することが好都合である。一つ以上のこれらの問題により良く対処するために、回転力以外のどのような力もローラーへと伝達することのない、減速歯車を有するディスク・ローディング機構を供することが提案されている。回転力以外のどのような他の力もキャリア部によって適応され、ディスクに向かう方向への当該キャリア部の付勢の影響が無いよう、お互いに相殺する。
2010518542.tif 000002
【特許請求の範囲】
【請求項１】
フレームと、
前記フレームに対して可動であるキャリア部と、
第1の回転軸回りに回転可能で、前記キャリア部に取り付けられているディスクとの摩擦係合のためのローラーと、
前記第1の回転軸回りに回転可能な第1の歯車であって、当該第1の歯車は前記キャリア部に取り付けられ、前記第1の歯車から前記ローラーへとトルク伝達を供するために、前記ローラー及び前記第1の歯車が機械的に接続されている、第1の歯車と、
第2の回転軸回りに回転可能な第2の歯車と
を有するディスク・ローディング機構であって、
前記第1の回転軸及び前記第2の回転軸は、前記第2の歯車から前記第1の歯車を経由して前記ローラーへとトルク伝達を供するために、互いに直交しており、
前記第2の歯車が、前記第2の回転軸と平行な方向に、前記キャリア部によって支持されている、ディスク・ローディング機構。
【請求項２】
前記第2の回転軸は、前記フレームに回転可能に取り付けられているシャフトによって形成され、前記第2の歯車は、前記第2の回転軸と平行な方向に、当該第2の回転軸に対して可動である、請求項１に記載のディスク・ローディング機構。
【請求項３】
前記シャフト及び前記第2の歯車は、トルク伝達を前記シャフトから前記第2の歯車へと供するために、互いに形状適合して係合している、請求項２に記載のディスク・ローディング機構。
【請求項４】
前記シャフトが、第3の歯車に接続されている、請求項３に記載のディスク・ローディング機構。
【請求項５】
前記キャリア部が、前記第2の回転軸と平行な方向に、前記第2の歯車用の案内部を有し、前記案内部及び前記第2の歯車が、前記第2の歯車を軸方向に案内するための手段を有する、請求項１に記載のディスク・ローディング機構。
【請求項６】
前記案内手段は、前記第2の歯車と前記案内部に取り付けられた接続輪郭部とに回動可能に接続された支持要素によって形成されており、前記キャリア部が前記フレームに対して動く場合、前記第2の回転軸と平行な方向に前記第2の歯車を動かすために、前記接続輪郭部が前記支持要素に接続されている、請求項５に記載のディスク・ローディング機構。
【請求項７】
請求項1乃至6に記載のディスク・ローディング機構を有する、ディスク用の再生モジュール。
【請求項８】
請求項７に記載の再生モジュールを有する、Hi-Fiシステム。
【発明の詳細な説明】
【技術分野】
【０００１】
本発明は、データ媒体、例えばコンパクトディスク、デジタルビデオディスク、又は概ねディスク形状をしたデータ媒体の、ディスク用再生モジュールのドライブユニットへの挿入、又は当該ユニットからの排出を可能にするディスク・ローディング機構の分野に関する。
【背景技術】
【０００２】
欧州特許公開公報EP 1 396 861 A2は、ハウジングの下側プレートに固定的に取り付けられて、お互いに軸方向に離れて置かれた一対のブラケット部材を有する、ディスクの供給ユニットを開示している。当該供給ユニットは、ブラケット部材の間に位置した、当該ブラケット部材によって回動可能に支持されている支持プレートと、中心軸が、ドライブユニットへと供されるべきディスクと平行な位置関係にあって、当該支持プレートによって支持された回転シャフトとを更に有する。供給ユニットは、ディスクがドライブユニットへと搭載されるか、又は当該ユニットから排出されるときにそれぞれ、ディスクが当該回転シャフトによって保持されることを可能にするために、ディスク又はディスクの支持面に向かって、支持プレートを弾性的に圧接するコイルバネによってそれぞれ構成されている、一対の弾力のある部材を更に有する。供給ユニットは、電気モータと減速ギヤとによって構成された駆動手段を更に有している。回転シャフトが、回転シャフトに対して直交する軸に取り付けられた、第2の減速ギヤを通じて電気モータによって駆動されることができるように、第1の減速ギヤは回転シャフトの軸方向の端部に固定的に接続されている。第2の減速ギヤの回転軸は、ハウジングの下側プレートに回動可能に取り付けられたシャフトによって形成されている。さらに、第2の減速ギヤは、第2の回転軸を形成しているシャフトの、固定された軸位置に固定的に取り付けられている。
【発明の開示】
【発明が解決しようとする課題】
【０００３】
しかしながら、供給ユニットは動作の間、ディスクの動きの方向に応じて、ディスク上へ回転シャフトを介して種々異なる力、即ちディスクがドライブユニットへと挿入される際、又はディスクが当該駆動ユニットから排出される際に、種々異なる力を及ぼす。
【０００４】
ディスクの動きを供するローラーによって、ドライブユニットへと挿入されるとき、又は当該ユニットから排出されるときにディスクに及ぼされる力が、挿入動作と排出動作とで等しいディスク・ローディング機構を供することが好都合であろう。
【０００５】
一つ以上のこれらの問題により良く対処するために、本発明の第1の態様において、フレームと、当該フレームに対して可動であるキャリア部と、第1の回転軸の回りに回転可能で、ディスクとの摩擦係合のためのローラーとを有するディスク・ローディング機構が供され、当該ローラーはキャリア部に取り付けられ、第1の歯車は第1の回転軸の回りに回転可能であり、当該第1の歯車はキャリア部に取り付けられ、第1の歯車からローラーへのトルク伝達を供するために、ローラー及び第1の歯車は機械的に接続されており、第2の歯車は第2の回転軸の回りに回転可能であり、第2の歯車から第1の歯車を経由してローラーへとトルク伝達を供するために、第1の回転軸及び第2の回転軸は互いに関して直交しており、第2の歯車は、第2の回転軸と平行な方向に、キャリア部によって支持されている。
【０００６】
言い換えると、例えば第1の歯車からのトルク伝達に起因して、回転軸の方向に沿って第2の歯車に働くどのような力も、第2の歯車を支持しているキャリア部によって適応されるよう、第2の歯車が支持されている。
【０００７】
上記の引用例で開示されたディスク・ローディング機構は、図1に描かれたような図によって、ディスクがドライブユニットへと挿入されるか、又は当該ユニットから排出されるときに及ぼされる力に関して、原理的に説明されることができる。ローラー1は、ローラー1の第1の回転軸3上にある第1の歯車2によって駆動される。第1の歯車2は、第1の回転軸3と直交する第2の回転軸5をもつ第2の歯車4と噛み合っている。第1の回転軸3を形成している軸は、フレームに回動可能に取り付けられたキャリア部6に取り付けられている。当該キャリア部6は、フレームのガイド・プレート7の表面9に向かって、バネ8によって付勢されている。これ故、ディスク10がローディング機構に挿入されたとき、ディスク10はガイド・プレート7の表面9上へと、ローラー1によって押圧される。ディスク10と、ガイド・プレート7のほぼ平坦な表面9と、ローディング機構を制御するための複数の規定されていないレバーとの間の摩擦に起因して、ローラーを回転させ、これによって、表面9上の摺動動作にてディスク10を搬送するために、ローラーにかけられる一定のトルクが必要である。このトルクは、両方の歯車の歯の間の、歯車4の軸と平行な方向の力Fを介して、第2の歯車4によって供される。この軸方向の力Fは、第1の歯車2に及ぼされる円周方向の力に等しい。力Fの方向は、ローラー1の回転方向、即ちディスク10を挿入、又は排出する方向に依存する。この軸方向の力Fは、ローラー1によってディスク10上へ及ぼされる力の増減を生じ、180°その方向を変える。挿入動作と排出動作との間で生じる力の差がより大きいと、ディスクの動きによる反動力も、より大きい。
【０００８】
図１の例に示されるディスクの挿入の際に、摩擦Fr及びレバー力が大きい場合、これは、第1の方向へ動くディスクの搬送の不確実さに至る。この場合、バネ8の付勢力は、第1の歯車に及ぼされる上向きの力によって、ある程度は釣り合わされる。極端な状況では、力は、ディスク10の搬送がもはや可能ではないレベルにまで減じる。逆もまた同じで、本例において、ディスクがドライブユニットから排出され、摩擦Fr及び他のレバー力が大きい場合、これは、おそらく反対の搬送方向においてローディング機構のブロッキングに至る。この場合、第1の歯車に伝達される力は、バネ8によってキャリア部6上へ及ぼされる力を加え、ディスク10上へ及ぼされる力は、ますます大きくなり、図示されていない駆動モータは、ブロックするかもしれない。
【課題を解決するための手段】
【０００９】
これに対して、本発明の実施例によるローディング機構では、ローラーからディスク上へと及ぼされる力は、ディスクの運動方向に無関係である。この力は、ディスクに対するキャリア部の付勢力のみに依存する。したがって、力の閉ループが、当該キャリア部内で形成される。本発明の実施例によるディスク・ローディング機構は、ローラー上へ回転力以外の何も伝達しない減速歯車を有する。如何なる他の力もキャリア部によって適応され、ディスクの方向への当該キャリア部及びローラーの付勢の影響が無いよう、お互いに釣り合う。
【００１０】
望ましくは本発明の実施例では、第2の回転軸は、フレームに回転可能に取り付けられている軸によって形成されており、第2の歯車は、第2の回転軸と平行な方向に、第2の回転軸に対して移動可能である。このように、第2の回転軸を形成している軸から第2の歯車へのトルク伝達があり、同時に第2の歯車は、フレームに対して可動であるキャリア部によって軸方向に支持、又は案内されることができる。
【００１１】
本アプリケーションに関しては、歯車は、第1の回転軸から第2の回転軸へのトルク伝達を可能にしている、何らかの回転対称な機構部品を意味する。したがって、本アプリケーションでの歯車は、ギザギザの車輪、摩擦車、ウォーム歯車、又は何らかの他のトルク伝達機構を意味することができる。
【００１２】
本発明はディスク・ローディング機構と称されているのであるが、本発明で言うところのディスクのローディングは、それぞれのドライブ機構からのディスクの排出も含む、即ち、ディスクを挿入すること、及び排出することを含む。
【００１３】
第2の歯車からローラーへと、第1の歯車を経由してトルク伝達が説明される場合はどこでも、これは第1の歯車と第2の歯車との間の直接係合によるトルク伝達を意味するかも知れないか、又はトルク伝達のチェーンが第2の歯車と第1の歯車との間にあるよう、第1の歯車と第2の歯車との間に供された、互いに係合している更なる歯車があるかも知れないかの何れかである。
【００１４】
本発明の別の実施例では、軸から第2の歯車へのトルク伝達を供するために、第2の歯車の回転軸を形成している軸と第2の歯車とは、互いに形状適合した係合状態にある。実施例では、上記は、それぞれ、軸の外表面にある補完的な凹部及び突起と、第2の歯車を貫通している内孔とによって実現されることができる。このように、軸と歯車との間にトルク伝達が供されるのと同時に、歯車は、軸に平行で、軸に沿った軸方向に依然として動くことができ、当該軸が取り付けられているフレームに対して動くことができる。
【００１５】
望ましくは、シャフトと第3の歯車との間に機械的接続を供する本発明の実施例がある。第3の歯車は、ドライブ、例えば電気モータへの機械的接続を供することであろう。
【００１６】
本発明の実施例によれば、キャリア部は、第2の回転軸と平行な方向に、第2の歯車用の案内部を有し、当該案内部は凹部を有し、第2の歯車は当該凹部へと延在する円周方向のリムを有する。このように、第2の回転軸を形成しているシャフトと平行な方向への第2の歯車の動きは、フレームに対するキャリア部の動きに結びつけられている。もちろん、キャリア部による歯車の案内は機械的な反転、即ちキャリア部に付随するリム及び第2の歯車に供される円周方向の凹部を含む、何らかの他の適切な手段によっても実現されることができる。
【００１７】
本発明の種々異なる実施例が、データ媒体用又はディスク用の再生モジュールで都合よく使用される。本アプリケーションという意味での再生モジュールは、好ましくはコンパクトディスク、デジタルビデオディスク、又は他の何らかのディスク形状をしたデータ媒体用の、単純な再生モジュール及び/又は記録装置であることだろう。
【００１８】
本発明の実施例による再生モジュールはHi-Fiシステムで、好都合には携帯用で、又は自動車用のHi-Fiシステムで使用されることができる。
【００１９】
本発明のこれらの態様及び他の態様は、これ以降説明される実施例を参照して明らかになり、解明されることであろう。
【図面の簡単な説明】
【００２０】
【図１】上記の説明で引用されたディスク・ローディング機構を概観的に示す。
【図２】上記の説明で引用されたディスク・ローディング機構の3次元の側面図を示す。
【図３】本発明の実施例によるディスク・ローディング機構を概観的に示す。
【図４】ローラーがディスクと接触している、下側の位置に第2の歯車がある場合の、本発明による実施例の3次元側面図を示す。
【図５】ローラーがディスクと接触していない、上側の位置に第2の歯車がある、即ちディスクが再生位置にある場合の、本発明による実施例の3次元側面図を示す。
【発明を実施するための形態】
【００２１】
本発明による以下の実施例の図の説明において、理解を容易にするために、同じ又は等価の部品は、同じ引用番号によって表示される。代替実施例を表示するために、ダッシュの引用番号が使用される。
【００２２】
図2は、上記の説明で引用されたディスク・ローディング機構の3次元側面図を示す。図2は、ディスク10がローラー1によってディスク再生モジュール用のドライブユニットに挿入、又は当該ドライブユニットから排出されるときの、ディスク・ローディング機構の全体像を与える。図示されるように、ディスク10及びローラー1が円形ディスク10の最も外側の端でのみ機械的に係合するために、ローラー1は2本の円錐部を有する。ディスクに対する搬送機構を供するために、ローラー1は、ピボット点11回りに回動可能なキャリア部6に取り付けられている。ディスク10自身は、ガイド・プレート7の平面9上で摺動し、ローラー1との摩擦係合によってのみ、動かされる。ローラー1とディスク10との間に摩擦力を供するために、当該ローラー1を担持しているキャリア部6の端部が、ディスク10上へ、及びガイド・プレート7の表面9に向かって押圧されるように、キャリア部6がバネ8によって付勢されている。傾斜した歯構造をもつ第1の歯車2は、ローラー1に接続されており、ローラー1と同じ回転軸回りに回転可能である。第1の歯車2は、当該第1の歯車2からローラー1へのトルク伝達を供する。第1の歯車2及びローラー1をそれぞれ駆動するために、傾斜した歯構造をもつ第2の歯車4が、第1の歯車2の回転軸と本質的に直交する回転軸上に供される。第2の歯車4の回転軸は、ディスク・ローディング機構のフレーム12に取り付けられたシャフト5によって形成されている。第2の歯車4は、同じシャフト5上の第3の歯車13に直接接続されている。当該第3の歯車13は、アクティブなドライブ、即ち電気モータへの接続を供する。
【００２３】
図3は、本発明の実施例による、改善されたローディング機構の概観的な側面図を示す。図1に対して、本発明の実施例によるローディング機構は、第2の歯車4´及びキャリア部6´に関して変更されている。第2の歯車4´は、回転軸5´の回りに依然として回転可能である。第3の歯車13から第2の歯車4´へとトルク伝達が供されるように、第2の歯車4´はシャフトに取り付けられている。しかしながら、第2の歯車4´は、回転軸5´に沿って移動可能である。
【００２４】
キャリア部6´は、これ故、回転軸5´と平行な方向に第2の歯車4´を案内し、支持するために、案内部6´aを供する。したがって、ローラー1から第1の歯車2を経由して第2の歯車4´上に伝達されるいかなる力もキャリア部6´によって受け止められ、したがって、このいかなる力も、ローラー1によってディスク10上へ及ぼされる力又は圧力に対しては影響をもたない。このように、ディスク10がガイド・プレート7の表面9上へ押圧される力は、当該ガイド・プレート7の表面9に向かった方向にキャリア部6´を付勢しているバネ8によって決定されるのみである。
【００２５】
図4及び図5は、第2の歯車4´の軸方向の動きを示す、本発明による実施例の部分的な3次元側面図を示す。歯車及びキャリア部に対する変更を除いて、全体のローディング機構は、図2に図示されたもののように見える。
【００２６】
図4及び図5に示すように、第2の歯車4´は、第3の歯車13と結合されているシャフト15上で、回転軸5と平行な方向に移動可能である。第3の歯車13からシャフト15を経由して第2の歯車4´へとトルク伝達を供するために、シャフト15は、回転軸と平行な方向に延在する3ヶ所の凹部14を有する。第2の歯車4´自身は、シャフト15の対応する凹部14内に延在する、三つの半径方向の突起19がある貫通孔を、その中心に持つ。この構成は、第2の歯車4´とシャフトとの間の、回転移動に関する形状適合した係合、即ちシャフト15から第2の歯車4´へのトルク伝達を供する。同時に、歯車4´は、シャフト方向に移動可能な状態を保つ。
【００２７】
回転軸と平行な方向に、第2の歯車4´に作用するすべての力は、支持要素16によって適応される。当該支持要素16は、第2の歯車4´及びシャフト15が支持要素16に対して回転可能であるように、第2の歯車4´と回動可能に接続されている。キャリア部6に取り付けられた接続輪郭部20は支持要素16と相互に作用し、キャリア部6が点11回りに回動されるとき、第2の歯車4´及び支持要素16から成っているアセンブリを軸15に関して移動させる。第2の歯車4´を安全に案内することを可能にするために、歯車自身は、歯車の下端に円形のリム17を有する。支持要素16のスナップ適合部 18が、第2の歯車の回転の間、当該円形のリム17に摺動する。図4が、低い位置に在る第2の歯車4´を示す一方、図5は、支持要素16と一緒にキャリア部6'を回動させた場合、どのように第2の歯車4´を高い位置へと移動させるかを示している。回転軸又はシャフト15に平行な方向に、第2の歯車4´に及ぼされるいかなる力も、支持要素16を経由し、キャリア部6´によって適応される。
【００２８】
このように、第2の歯車に付与された如何なる軸方向の力も、ディスクの両方の搬送方向で同時に、第1の歯車に付与された半径方向の力と釣り合うことができる。したがって、ローラー機構に付与された力の伝達は、キャリア部内の力の閉ループの伝達である。
【００２９】
本発明は、図及び前述の説明にて詳細に例示され、記述された一方、斯様な図例及び説明は例示的及び典型的であると考えられるべきで、制限的では無いと考えられるべきである。本発明は、開示された実施例に限定されることはない。
【００３０】
図、開示物及び添付の請求項の学習から、請求された本発明を実施する際に、開示された実施例に対する他のバリエーションが当業者によって理解され、遂行されることができる。請求項において、単語「有する」は、他の要素又はステップを除外することはなく、不定冠詞「a」、又は「an」は、複数を除外することはない。特定の手段が相互に異なる従属請求項において列挙されているという単なる事実は、これらの手段の組合せが有効に使われることができないことを示してはいない。請求項中のいかなる引用符号も、範囲を限定するものとして解釈されてはならない。
【符号の説明】
【００３１】
1  ローラー
2  第1の歯車
3  第1の回転軸
4、4´  第2の歯車
5、5´  第2の回転軸
6、6´  キャリア部
7  ガイド・プレート
8  バネ
9  支持面
10  ディスク
11  ピボット点
12  フレーム
13  第3の歯車
14  凹部
15  シャフト
16  支持要素
17  リム
18  凹部
19  突起
20  接続輪郭部
【図１】
2010518542.tif 000003
【図２】
2010518542.tif 000004
【図３】
2010518542.tif 000005
【図４】
2010518542.tif 000006
【図５】
2010518542.tif 000007
【国際調査報告】
2010518542.tif 000008
2010518542.tif 000009